(57)【要約】【課題】企業等の情報提供者が個人の資産情報に対応させて商品・サービスに関する適確な情報だけを各個人に配信できる資産情報運用システムを提供する。【解決手段】資産情報運用システムは、個人会員の端末機器３からアクセス可能な個人情報登録サーバー２１、２２、情報提供者会員の端末機器５からアクセス可能な管理サーバー２０で構成される。管理サーバー２０は、個人会員が個人情報登録サーバー２１、２２にアクセスするためのインターフェース４、情報提供者会員が当該管理サーバーにアクセスするためのインターフェース５を提供する。個人情報登録サーバー２１、２２は、資産情報を含む個人情報を記録する情報登録機能、個人情報の個々の項目について公開の可否を選択する公開設定機能を備えており、管理サーバー２０は、公開設定された個人情報を検索する検索機能、個人会員のインターフェース４上に情報を配信する情報配信機能を備えている。【選択図】図１
2010286874.tif 000002
【特許請求の範囲】
【請求項１】
登録された個人会員の端末機器からアクセス可能な個人情報登録サーバーと、登録された情報提供者会員の端末機器からアクセス可能な管理サーバーとで構成された資産情報運用システムであって、管理サーバーは、ウェブ上のインターフェースとして、個人会員が個人情報登録サーバーにアクセスするためのインターフェースと、情報提供者会員が当該管理サーバーにアクセスするためのインターフェースとを提供するように構成され、個人情報登録サーバーは、資産情報を含む個人情報を記録する情報登録機能と、個人情報の個々の項目について公開するか否かを選択する公開設定機能とを備え、管理サーバーは、個人情報登録サーバーを管理する機能と共に、個人情報登録サーバーにおいて公開設定された個人情報を検索する検索機能と、検索結果に対応する個人会員のインターフェース上に商品またはサービスに関する情報を配信する情報配信機能とを備えていることを特徴とする資産情報運用システム。
【請求項２】
個人情報登録サーバーは、個人会員のプロフィール情報を記録するサーバー、および、個人会員の資産情報を記録するサーバーの少なくとも２種のサーバーから成る請求項１に記載の資産情報運用システム。
【発明の詳細な説明】
【技術分野】
【０００１】
本発明は、資産情報運用システムに関するものであり、詳しくは、企業等の情報提供者が商品・サービスに関する情報を個人の資産情報に対応させて各個人に配信でき、個人の生活向上および企業等における効率的な営業活動に寄与し得る資産情報運用システムに関するものである。
【背景技術】
【０００２】
ウェブサイトにおいては、検索エンジンを利用し、幅広い分野に亘って情報をキーワード検索でき、その情報が個人生活の種々の場面で利用されているが、個人が膨大な量の情報から必要な情報を絞り込むため、また、企業等の情報提供者が商品やサービスに関する情報を適切な消費者に配信するため、情報検索に関する多くの手法が提案されている。
【０００３】
例えば、ネットワーク上で消費者が商品購入を検討する際に有益な情報を効率的に提供するための技術として、商品情報を獲得して保存する情報記録処理と、保存された商品情報の中からクライアント（消費者）の要求条件に応じて商品情報を抽出する情報演算処理と、抽出された当該商品情報をクライアントに提供する情報提供処理とを行う検索システムを使用した「商品情報提供方法」が提案されている（特許文献１）。
【０００４】
また、ネットワーク上の商品情報検索において、検索者が所望しない検索結果を減少させるための情報技術として、検索者に関する情報を会員情報として登録し、新規の会員が登録した会員情報と類似する既登録の会員情報を検索し、これを類似情報として新規会員と対応づけて記憶し、会員が情報検索した際、対応づけされた他の会員の過去の検索結果を選別して利用するようにした「情報検索方法」が提案されている（特許文献２）。
【０００５】
更に、ユーザの趣味や興味に適合させて当該ユーザに適切な情報を提供するためのシステムとして、ネットワーク上で所定の情報を収集するエージェント端末とユーザが操作するユーザ端末とからアクセスされるシステムであって、ユーザからの情報を蓄積し且つエージェント端末が収集した情報をエージェント毎に蓄積し、ユーザ端末からのエージェントの選択により、エージェントが収集した情報を抽出してユーザ端末に送信するようにした「情報提供システム」が提案されている（特許文献３）。
【先行技術文献】
【特許文献】
【０００６】
【特許文献１】特開２００２−３２４０８号公報
【特許文献２】特開２００２−２５９４３１号公報
【特許文献３】特開２００６−２５９８６７号公報
【発明の概要】
【発明が解決しようとする課題】
【０００７】
ところで、各個人のライフスタイルは、個人資産の内容に顕れると考えられるが、個人生活を豊かにするためには、資産の運用、利用の仕方が重要であり、インターネット上での商品またはサービスに関する情報検索が日常生活において極めて大きな意味をもっている。
【０００８】
しかしながら、従来の検索システムは、過去の検索結果を利用したり、企業側がサーバーに情報提供するにしても、個人（ユーザー）が検索条件を自ら設定し、サーバー内に予め蓄積された情報を個人側で選択しなければならない。すなわち、個人にとって必要な情報を得るためには自らが検索する必要がある。しかも、インターネット上で収集しようとする情報は、個人のライフスタイルによって大きく相違するため、各個人において十分かつ適確な情報が得られるとは限らない。一方、企業等の情報提供者にすれば、情報提供する相手を明確に特定できないため、換言すれば、各個人のライフスタイルまで把握できないため、ネットワーク上に多くの情報をその有効性に拘わらず配信しなければならない。
【０００９】
本発明は、上記の実情に鑑みてなされたものであり、その目的は、企業等の情報提供者が個人の資産情報に対応させて商品・サービスに関する適確な情報だけを各個人に配信でき、惹いては、個人の生活向上および企業等における効率的な営業活動に寄与し得る資産情報運用システムを提供することにある。
【課題を解決するための手段】
【００１０】
本発明においては、登録された個人会員および情報提供者会員の双方向からアクセスするサーバーをインターネット上に設け、サーバーに対する個人会員側からの一方向の検索ではなく、個人会員が自己の個人情報を必要に応じて公開し、個人会員によって公開された個人情報を企業等の情報提供者会員が検索すると言う双方向からのアクセスにより、個人会員のライフスタイルに対して情報提供者会員側の提案をマッチングさせ、情報提供者会員から個人会員に適確な情報だけを随時提供できるようにした。
【００１１】
すなわち、本発明の要旨は、登録された個人会員の端末機器からアクセス可能な個人情報登録サーバーと、登録された情報提供者会員の端末機器からアクセス可能な管理サーバーとで構成された資産情報運用システムであって、管理サーバーは、ウェブ上のインターフェースとして、個人会員が個人情報登録サーバーにアクセスするためのインターフェースと、情報提供者会員が当該管理サーバーにアクセスするためのインターフェースとを提供するように構成され、個人情報登録サーバーは、資産情報を含む個人情報を記録する情報登録機能と、個人情報の個々の項目について公開するか否かを選択する公開設定機能とを備え、管理サーバーは、個人情報登録サーバーを管理する機能と共に、個人情報登録サーバーにおいて公開設定された個人情報を検索する検索機能と、検索結果に対応する個人会員のインターフェース上に商品またはサービスに関する情報を配信する情報配信機能とを備えていることを特徴とする資産情報運用システムに存する。
【発明の効果】
【００１２】
本発明によれば、個人会員と情報提供者会員の双方向からのアクセスにより、各個人会員のライフスタイルにマッチングした提案として、商品またはサービスに関する適確な情報だけを情報提供者会員から各個人会員に配信できるため、個人会員の生活向上に貢献でき、企業等の情報提供者会員における効率的な営業活動に寄与できる。
【図面の簡単な説明】
【００１３】
【図１】本発明に係る資産情報運用システムの構成概要を示すブロック図である。
【図２】本発明に係る資産情報運用システムの機能およびインターフェースの構成例を示すフロー図である。
【発明を実施するための形態】
【００１４】
本発明に係る資産情報運用システム（以下、単に「システム」と略記する。）の一実施形態を説明する。図中に符号１で示す本発明のシステムは、個人の資産情報を利用することにより、企業等から各個人にそれぞれ最適な情報を提供できるようにしたシステムであり、図１に示す様に、予め登録された個人会員の端末機器３からアクセス可能な個人情報登録サーバー２１、２２・・、および、予め登録された情報提供者会員の端末機器５からアクセス可能な管理サーバー２０の２種類のデータベース系サーバーで構成される。
【００１５】
本発明において、取り扱う資産情報としては、証券、預貯金、保険などに関する金融資産情報、土地、建物などに関する不動産情報の他、所有している物品等の有形あるいは無形のあらゆる財産に関する情報が挙げられる。これらの財産情報には、例えば、自動車、家具類、室内装飾品、家電製品、雑貨、小物、服飾、貴金属、絵画などに関する情報が含まれる。
【００１６】
また、本発明においては、各個人のライフスタイルに応じて適確な情報を配信するため、上記の資産情報以外の個人情報として、氏名、住所、電話番号、国名、メールアドレス、ログイン用のＩＤ・希望パスワードの他、年齢、性別、出身地、生年月日、身体データ、業種、年収、家族構成、趣味、趣向、将来の希望事項などのプロフィール情報が挙げられる。すなわち、個人情報としては、個人会員の資産情報とライフスタイルに関連するプロフィール情報とが含まれる。
【００１７】
本発明のシステム１は、個人情報を安全に管理する観点から、上記の個人情報を記録する個人情報登録サーバー２１、２２・・と、外部アクセスの許容を判断したり、外部アクセスによって検索を実行する管理サーバー２０とを別個に設けている。そして、管理サーバー２０は、ウェブ上のインターフェースとして、個人会員が個人情報登録サーバー２１、２２・・にアクセスするためのインターフェース４と、情報提供者会員が当該管理サーバーにアクセスするためのインターフェース６とを提供するように構成される。
【００１８】
通常、上記の個人会員用インターフェース４および情報提供者会員用インターフェース６は、管理サーバー２０から提供される１つの統括入口インターフェース（図示省略）からアクセス可能に構成される。ゲストアクセス可能な個人会員用の入口インターフェース（図示省略）には、個人が個人会員として登録するための入会手続欄が設けられており、入会手続欄に指定された項目、例えば、氏名、メールアドレス、住所、国名、ハンドルネーム（ＩＤ）、希望パスワードを入力することにより、個人情報登録サーバー２１、２２・・への記録を行う入会処理ルーチンが機能し、ＩＤ及びパスワードを発行すると共に、入力された個人情報を記録するようになされている。そして、登録後はログインにより個人会員用のインターフェース４に導き、各自の個人情報を更に入力、変更、表示するようになされている。
【００１９】
例えば、図２に示す様に、個人会員用のインターフェース４においては、前述の個人情報を詳細に更に登録するため、個人情報登録欄として、前述の氏名、住所・・・趣味、趣向などを登録するプロフィール登録欄４１と、預貯金、不動産・・・家具類、家電製品などの自己の資産を登録する資産登録欄４２とが設けられる。すなわち、個人情報登録サーバー２１、２２・・は、個人情報を項目に細分化されたデータとして記録するようになされている。そして、好ましい態様においては、不正アクセスに対する安全性を高めるため、個人情報登録サーバー２１、２２・・は、個人会員のプロフィール情報を記録するサーバー２１、および、個人会員の資産情報を記録するサーバー２２の少なくとも２種のサーバーから構成される。より好ましくは、資産情報を更にカテゴリー別に区分し、各カテゴリーごとに別個のサーバー２２，２３・・２ｎに格納される。また、個人会員については、国内、外国を含めて多数登録するように設計される。
【００２０】
上記の情報提供者会員向けの入口インターフェース（図示省略）には、法人、事業者などの企業等が会員登録するための入会手続欄が設けられており、入会手続欄に指定された名称、メールアドレス、ハンドルネーム（ＩＤ）、希望パスワード等を入力することにより、管理サーバー２０への記録を行う入会処理ルーチンが機能し、ＩＤ及びパスワードを発行すると共に、入力された企業等の情報を記録するようになされている。そして、登録後はログインにより情報提供者会員用のインターフェース６に導き、後述する検索欄６１（図２参照）を表示するようになされている。なお、管理サーバー２０は、情報提供者会員として、前述の資産に関する何らかの情報を提供し得る限り、国内、外国を含めて、法人、個人事業者などを多数登録できるように設計される。
【００２１】
個人情報登録サーバー２１、２２・・は、前述の資産情報を含む個人情報を記録する情報登録機能の他、個人情報の個々の項目について公開するか否かを選択する公開設定機能を備えている。すなわち、登録された個人情報の各項目ごとに、公開設定欄（図示省略）において当該情報を公開するか否か（検索対象として許容するか否か）を設定するようになされている。なお、図２に示す個人会員用のインターフェース４の情報受信欄４３は、情報提供者会員から受け取った配信情報、すなわち、資産運用情報を表示する部分であり、後述する情報配信機能に対応して機能するように構成される。斯かる情報受信欄４３においては、テキスト、画像、映像などの各種のデータをブラウズするアプリケーションを起動させることが可能である。
【００２２】
本発明においては、個人会員のライフスタイルに対して情報提供者会員側の提案（配信情報）をマッチングさせるため、上記の管理サーバー２０は、個人情報登録サーバー２１、２２・・に対する外部からのアクセスを管理する機能と共に、個人情報登録サーバー２１、２２・・において公開設定された個人情報を検索する検索機能と、検索結果に対応する個人会員のインターフェース４上の情報受信欄４３に商品またはサービスに関する情報を配信する情報配信機能とを備えている。
【００２３】
具体的には、管理サーバー２０によって提供される情報提供者会員用のインターフェース６（図１参照）には、図２に示す様に、個人会員が登録した個人情報（プロフィール情報および資産情報）を検索条件に設定して情報提供者会員により個人会員を検索可能な検索欄６１と、検索結果を表示する抽出欄６２と、個人会員へ提供すべき商品またはサービスに関する情報を投稿可能な情報配信欄６３とが設けられる。
【００２４】
検索機能を発揮させるために設けられた検索欄６１は、個人会員が登録した個人情報登録欄（プロフィール登録欄４１及び資産登録欄４２）の項目に対応して条件設定し、公開設定された項目を検索するようになされている。検索欄６１は、検索者が想定する重要度に応じて検索項目ごとに例えば数値で重みづけが出来るように構成されていてもよく、また、検索結果から総合値が上位の該当者を抽出するように構成されていてもよい。この様な機能は、管理サーバー２０の演算処理プログラムによって構成できる。そして、上記の様な検索欄６１により、情報提供先として最適な個人会員を抽出し、抽出欄６２に表示するようになされている。
【００２５】
情報配信機能を発揮させるために設けられた情報配信欄６３は、情報提供者会員が配信したい情報をアップロードする欄であり、上記の検索欄６１で抽出された個人会員の情報受信欄４３に当該情報配信欄の情報を配信するようになされている。すなわち、情報配信欄６３をトリガーとして、情報提供者会員の端末装置に準備された情報（テキストや画像の情報）を個人会員の情報受信欄４３に配信するように構成される。また、同時に、個人会員に情報配信したことをメール送信するようになされていてもよい。
【００２６】
本発明のシステム１の運用方法は以下の通りである。例えば、個人会員が自己のプロフィール情報と共に、予め、自己の資産情報の一つとして、保有している自家用車の情報（年式、車種など）を登録、公開設定しているとすると、自動車販売業を営む情報提供者会員は、各個人会員の資産情報およびプロフィール情報を検索し、顧客対象を絞り込むことが出来る。
【００２７】
すなわち、情報提供者会員は、管理サーバー２０から提供されるインターフェース６の検索欄６１において、個人会員の資産情報の中の検索項目として、例えば、「７年以前の年式の車両」、「車種がスポーツ多目的車」を設定し、更に、プロフィール情報の中の検索項目として、「関東地区在住」、「年収＊＊＊〜＊＊＊円」、「趣味が旅行」等を設定し、該当する個人会員を検索することにより、特定の車種に興味があり且つ買替え時期にある個人会員を抽出欄６２に抽出する。そして、情報配信欄６３を利用し、該当する個人会員の情報受信欄４３に推薦車種に関する情報を配信する。これにより、個人会員は、自己のサイトにアクセスした際、情報受信欄４３において興味ある情報の一つとして新たな自家用車の情報を直ちに得ることが出来る。
【００２８】
本発明においては、個人情報登録サーバー２１、２２・・に登録された個人会員および管理サーバー２０に登録された企業等の情報提供者会員のインターネット上での双方向からのアクセスを可能にし、個人会員は自己の資産情報が含まれる個人情報を予め登録すると共に、必要に応じて個人情報の中の個々の項目ごとに公開を許容する。一方、情報提供者会員は、公開された個人会員の資産情報に関して、条件を絞って検索、選別し、営業対象として適切な個人会員だけに商品またはサービスに関する情報を提供する。これにより、個人会員のライフスタイルに対して情報提供者会員側の提案をマッチングさせ、情報提供者会員から個人会員に適確な情報だけを提供する。その結果、各個人会員は、自己の個人情報を開示するか否かを管理するだけで最適な情報を随時入手できる。そして、情報提供者会員は、当該情報提供者会員が提供したい商品またはサービスに関する適確な情報だけを各個人会員に配信できる。
【００２９】
すなわち、本発明によれば、個人会員と情報提供者会員の双方向からのアクセスにより、各個人会員のライフスタイルにマッチングした提案として、商品またはサービスに関する適確な情報だけを情報提供者会員から各個人会員に配信できる。換言すれば、個人会員にとっては、サイトにアクセスするだけで、自分のライフスタイルに沿った有用な情報だけを随時取得して個人資産の有効な運用が可能になり、他方、企業等の情報提供者会員にとっては、提供したい自己の商品・サービスを実際に必要とする最適な顧客に絞り込んで情報提供できると言うマッチング機能を発揮できる。従って、個人会員の生活向上に貢献でき、企業等の情報提供者会員における効率的な営業活動に寄与することが出来る。
【００３０】
なお、本発明のシステム１は、個人会員の資産情報として登録された個々の資産について、実勢価格を評価し、資産の評価情報として例えば年度毎に記録するように構成されてもよい。各個人会員のサイトにおいて資産を評価する機能を付与することにより、個人会員における自己資産の運用、管理が容易になる。そして、各個人会員の資産情報を含む個人情報を集計・比較処理し、個人会員の個別資産および総資産に関して、例えば年齢別、地域別、業種別にランキングが確認されるように構成されてもよい。これにより、個人会員が自己の社会的目標設定などに利用することが出来る。
【符号の説明】
【００３１】
１  ：資産情報運用システム
２０：管理サーバー
２１：個人情報登録サーバー
２２：個人情報登録サーバー
３  ：端末機器
４  ：個人会員用インターフェース
４１：プロフィール登録欄
４２：資産登録欄
４３：情報受信欄
５  ：端末機器
６  ：情報提供者会員用インターフェース
６１：検索欄
６２：抽出欄
６３：情報配信欄
【図１】
2010286874.tif 000003
【図２】
2010286874.tif 000004